【手続補正書】
【提出日】平成30年1月22日(2018.1.22)
【手続補正１】
【補正対象書類名】明細書
【補正対象項目名】発明の名称
【補正方法】変更
【補正の内容】
【発明の名称】形状エラー判定装置、判定結果画像生成装置、及び形状エラー判定方法
【手続補正２】
【補正対象書類名】明細書
【補正対象項目名】０００１
【補正方法】変更
【補正の内容】
【０００１】
本発明は、形状エラー判定装置、当該形状エラー判定装置を備えた判定結果画像生成装置、及び形状エラー判定方法に関する。
【手続補正３】
【補正対象書類名】明細書
【補正対象項目名】０００６
【補正方法】変更
【補正の内容】
【０００６】
本発明の目的は、形状エラーを適切に判定することが可能な形状エラー判定装置及び形状エラー判定方法と、当該形状エラー判定装置を備え、形状エラー判定結果を提示する際に使用する判定結果画像として、視認性の高い画像を生成することが可能な判定結果画像生成装置と、を提供することである。
【手続補正４】
【補正対象書類名】明細書
【補正対象項目名】０００７
【補正方法】変更
【補正の内容】
【０００７】
前記課題を解決するために、本発明の形状エラー判定装置は、
物体の所定面の第一形状部分を検出する第一形状検出部と、
前記所定面の第二形状が異常であるか否かを判定する第二形状異常判定部と、を備え、
前記第一形状部分における前記第二形状が異常であるか否かの判定を、前記所定面の前記第一形状部分以外の領域に基づいて行うように構成されている。
【手続補正５】
【補正対象書類名】明細書
【補正対象項目名】０００８
【補正方法】変更
【補正の内容】
【０００８】
したがって、第一形状部分における第二形状が異常であるか否かを判定することができるので、形状エラーを適切に判定することができる。
【手続補正６】
【補正対象書類名】明細書
【補正対象項目名】０００９
【補正方法】変更
【補正の内容】
【０００９】
好ましくは、
前記第一形状部分が欠損部分であり、前記第二形状が摩耗面の形状であるように構成することが可能である。
【手続補正７】
【補正対象書類名】明細書
【補正対象項目名】００１０
【補正方法】変更
【補正の内容】
【００１０】
このように構成することによって、欠損部分における摩耗面の形状が異常であるか否かを判定することができる。
【手続補正８】
【補正対象書類名】明細書
【補正対象項目名】００１１
【補正方法】変更
【補正の内容】
【００１１】
また、好ましくは、
さらに、前記第一形状部分が異常であるか否かを判定する第一形状異常判定部を備えるように構成することが可能である。
【手続補正９】
【補正対象書類名】明細書
【補正対象項目名】００１２
【補正方法】変更
【補正の内容】
【００１２】
このように構成することによって、第一形状部分における第二形状が異常であるか否かを判定することができるだけでなく、第一形状部分が異常であるか否かを判定することもできるので、複数種類の形状エラーを適切に判定することができる。
【手続補正１０】
【補正対象書類名】明細書
【補正対象項目名】００１３
【補正方法】変更
【補正の内容】
【００１３】
また、好ましくは、
前記第一形状異常判定部は、前記第一形状部分と前記第一形状部分が異常であるか否かを判定するための閾値とを比較することにより前記第一形状部分が異常であるか否かを判定するように構成することが可能である。
【手続補正１１】
【補正対象書類名】明細書
【補正対象項目名】００１４
【補正方法】変更
【補正の内容】
【００１４】
このように構成することによって、第一形状部分の異常を適切に判定することができる。
【手続補正１２】
【補正対象書類名】明細書
【補正対象項目名】００１５
【補正方法】変更
【補正の内容】
【００１５】
また、好ましくは、
前記閾値は、前記第二形状の大きさに基づいて設定されるように構成することが可能である。
【手続補正１３】
【補正対象書類名】明細書
【補正対象項目名】００１６
【補正方法】変更
【補正の内容】
【００１６】
このように構成することによって、第一形状部分の異常を適切に判定することができる。
【手続補正１４】
【補正対象書類名】明細書
【補正対象項目名】００１７
【補正方法】変更
【補正の内容】
【００１７】
また、好ましくは、
前記第一形状部分が異常であるか否かを判定する第一形状異常判定部を備え、
前記第一形状異常判定部は、前記第一形状部分と前記第一形状部分が異常であるか否かを判定するための閾値とを比較することにより前記第一形状部分が異常であるか否かを判定し、
前記閾値は、前記第一形状部分が検出された位置の摩耗量に応じて設定されるように構成することが可能である。
【手続補正１５】
【補正対象書類名】明細書
【補正対象項目名】００１８
【補正方法】変更
【補正の内容】
【００１８】
このように構成することによって、第一形状部分の異常を適切に判定することができる。
【手続補正１６】
【補正対象書類名】明細書
【補正対象項目名】００１９
【補正方法】変更
【補正の内容】
【００１９】
また、本発明の判定結果画像生成装置は、
上記形状エラー判定装置と、
前記第一形状部分と、前記第二形状と、を異なる表示とする判定結果画像を生成する画像生成部と、を備えるように構成されている。
【手続補正１７】
【補正対象書類名】明細書
【補正対象項目名】００２０
【補正方法】変更
【補正の内容】
【００２０】
したがって、形状エラー判定結果を提示する際に使用する判定結果画像として、視認性の高い画像を生成することができる。
【手続補正１８】
【補正対象書類名】明細書
【補正対象項目名】００２１
【補正方法】変更
【補正の内容】
【００２１】
また、本発明の形状エラー判定方法は、
物体の所定面の第一形状部分を検出する第一形状部分検出手段と、
前記第一形状部分が異常であるか否かを判定する第一形状異常判定手段と、
前記所定面の第二形状が異常であるか否かを判定する第二形状異常判定手段と、を備え、
前記第二形状異常判定手段では、前記第一形状部分における前記第二形状が異常であるか否かの判定を、前記所定面の前記第一形状部分以外の領域に基づいて行うように構成されている。
【手続補正１９】
【補正対象書類名】明細書
【補正対象項目名】００２２
【補正方法】変更
【補正の内容】
【００２２】
したがって、第一形状部分における第二形状が異常であるか否かを判定することができるので、形状エラーを適切に判定することができる。
【手続補正２０】
【補正対象書類名】明細書
【補正対象項目名】００２３
【補正方法】変更
【補正の内容】
【００２３】
好ましくは、
前記第一形状部分が欠損部分であり、前記第二形状が摩耗面の形状であるように構成することが可能である。
【手続補正２１】
【補正対象書類名】明細書
【補正対象項目名】００２４
【補正方法】変更
【補正の内容】
【００２４】
このように構成することによって、欠損部分における摩耗面の形状が異常であるか否かを判定することができる。
【手続補正２２】
【補正対象書類名】明細書
【補正対象項目名】００２５
【補正方法】変更
【補正の内容】
【００２５】
本発明の形状エラー判定装置及び形状エラー判定方法によれば、形状エラーを適切に判定することができる。
また、本発明の判定結果画像生成装置によれば、形状エラー判定結果を提示する際に使用する判定結果画像として、視認性の高い画像を生成することができる。
【手続補正２３】
【補正対象書類名】特許請求の範囲
【補正対象項目名】全文
【補正方法】変更
【補正の内容】
【特許請求の範囲】
【請求項１】
物体の所定面の第一形状部分を検出する第一形状検出部と、
前記所定面の第二形状が異常であるか否かを判定する第二形状異常判定部と、を備え、
前記第一形状部分における前記第二形状が異常であるか否かの判定を、前記所定面の前記第一形状部分以外の領域に基づいて行うことを特徴とする形状エラー判定装置。
【請求項２】
前記第一形状部分が欠損部分であり、前記第二形状が摩耗面の形状であることを特徴とする請求項１に記載の形状エラー判定装置。
【請求項３】
さらに、前記第一形状部分が異常であるか否かを判定する第一形状異常判定部を備えることを特徴とする請求項１又は２に記載の形状エラー判定装置。
【請求項４】
前記第一形状異常判定部は、前記第一形状部分と前記第一形状部分が異常であるか否かを判定するための閾値とを比較することにより前記第一形状部分が異常であるか否かを判定することを特徴とする請求項３に記載の形状エラー判定装置。
【請求項５】
前記閾値は、前記第二形状の大きさに基づいて設定されることを特徴とする請求項４に記載の形状エラー判定装置。
【請求項６】
前記第一形状部分が異常であるか否かを判定する第一形状異常判定部を備え、
前記第一形状異常判定部は、前記第一形状部分と前記第一形状部分が異常であるか否かを判定するための閾値とを比較することにより前記第一形状部分が異常であるか否かを判定し、
前記閾値は、前記第一形状部分が検出された位置の摩耗量に応じて設定されることを特徴とする請求項２に記載の形状エラー判定装置。
【請求項７】
請求項１から６のいずれか一項に記載の形状エラー判定装置と、
前記第一形状部分と、前記第二形状と、を異なる表示とする判定結果画像を生成する画像生成部と、を備えることを特徴とする判定結果画像生成装置。
【請求項８】
物体の所定面の第一形状部分を検出する第一形状部分検出手段と、
前記第一形状部分が異常であるか否かを判定する第一形状異常判定手段と、
前記所定面の第二形状が異常であるか否かを判定する第二形状異常判定手段と、を備え、
前記第二形状異常判定手段では、前記第一形状部分における前記第二形状が異常であるか否かの判定を、前記所定面の前記第一形状部分以外の領域に基づいて行うことを特徴とする形状エラー判定方法。
【請求項９】
前記第一形状部分が欠損部分であり、前記第二形状が摩耗面の形状であることを特徴とする請求項８に記載の形状エラー判定方法。